(57)【特許請求の範囲】
【請求項１】
錠箱内においてその側板に垂直な駆動カム軸の周りを回動自在に支承されると共に、室外側の操作軸に連結されるリトラクター駆動用の外側駆動カムと、この外側駆動カムの所定の角度位置に形成されたロック切欠と、このロック切欠と係脱する方向に移動可能に案内され、ロック切欠に係入する方向に付勢されたロックピースと、錠箱内において外側駆動カムの近傍に配設され、中央部を駆動カム軸と平行なアーム軸の周りを回動可能に支承されると共に、一端をロックピースに連係させ、他端に側板への投影形状がＶ字形の作動カムを形成した施解錠アームと、施錠角度位置における作動カムの延伸方向に平行で、コイルから離間する方向に付勢されたプランジャを有するソレノイドと、中央部を作動カムとソレノイドのプランジャとの間において回動自在に支承され、一端をソレノイドのプランジャにリンク結合させると共に、他端を作動カムの谷部に臨ませた揺動レバーを設け、一方、上記ソレノイドをプランジャの長さ方向の位置を調節できるように装着し、ソレノイドがアーム軸に近接した位置に装着された状態において、ソレノイドが通電されてプランジャがコイル内に引っ込んだとき、揺動レバーの他端が作動カムの谷底に接するように各部材の諸元を設定し、このソレノイドの装着態様を以って通電時施錠型とし、この通電時施錠型の作動モードにおいてソレノイドの電流が遮断されたとき、プランジャの抜き出し方向の移動により揺動レバーの他端が作動カムの傾斜辺を押動して施解錠アームを傾動させるようにし、以ってその一端に連係されたロックピースをロック切欠から抜き出して電気錠を解錠し、他方、ソレノイドがアーム軸から離間した位置に装着された状態において、ソレノイドが通電されずにプランジャがコイルから引き出されたとき、揺動レバーの他端が作動カムの谷底に接するようにソレノイドの移動距離を定め、このソレノイドの装着態様を以って通電時解錠型とし、この通電時解錠型の作動モードにおいてソレノイドが通電されプランジャがコイルに引き込まれたとき、揺動レバーの他端が作動カムの他方の傾斜辺を押動して施解錠アームを傾動させるようにし、以ってその一端に連係させれたロックピースをロック切欠から抜き出して電気錠を解錠するようにしたことを特徴とする電気錠の作動モード切換え機構。
【発明の詳細な説明】
【０００１】
【発明の属する技術分野】
この発明は電気錠の作動モード切換え機構（以下単に切換え機構という）に係り、特に、電気錠の作動モードを通電時施錠型と通電時解錠型に切換えることができる切換え機構に関する。
【０００２】
【従来の技術】
マンションの共用玄関やビルの通用口には、通常、通電時解錠型の電気錠が装着される。それは、通用口用電気錠は防犯性を重視しており、停電時施錠した方が安全だからである。
【０００３】
一方、建物やビルの非常口には、通常、通電時施錠型の電気錠が装着される。それは、地震や火災により停電したとき電気錠が施錠されると、非常口から外に出ようとする人が閉じ込められて危険だから、停電時には解錠するような機構を採っているわけである。
【０００４】
従来の電気錠は、作動モードが異なるわけだから、通電時解錠型の電気錠と通電時施錠型の電気錠とは当然内部の機構が異なっていた。
【０００５】
【発明が解決しようとする課題】
上記したように、用途によって電気錠の内部構造を変えて複数の電気錠を製造販売することは、錠前のメーカーにとって当然製造コストの上昇や製造管理上の煩雑さを招くばかりでなく、ユーザーや施工業者にとっても同じ煩雑さがある。
【０００６】
そこで、この発明は、同一の機構の電気錠を、必要に応じて通電時解錠型と通電時施錠型に切換えることができる切換え機構を提供し、以て上記した不都合を解消することを目的としている。
【０００７】
【課題を解決するための手段】
上記の目的を達成するため、この発明は、錠箱内においてその側版に垂直な駆動カム軸の周りを回動自在に支承されると共に、室外側の操作軸に連結されるリトラクター駆動用の外側駆動カムと、この外側駆動カムの所定の角度位置に形成されたロック切欠と、このロック切欠と係脱する方向に移動可能に案内され、ロック切欠に係入する方向に付勢されたロックピースと、錠箱内において外側駆動カムの近傍に配設され、中央部を駆動カム軸と平行なアーム軸の周りを回動可能に支承されると共に、一端をロックピースに連係させ、他端に側板への投影形状がＶ字形の作動カムを形成した施解錠アームと、施錠角度位置における作動カムの延伸方向に平行で、コイルから離間する方向に付勢されたプランジャを有するソレノイドと、中央部を作動カムとソレノイドのプランジャとの間において回動自在に支承され、一端をソレノイドのプランジャにリンク結合させると共に、他端を作動カムの谷部に臨ませた揺動レバーを設け、一方、上記ソレノイドをプランジャの長さ方向の位置を調節できるように装着し、ソレノイドがアーム軸に近接した位置に装着された状態において、ソレノイドが通電されてプランジャがコイル内に引っ込んだとき、揺動レバーの他端が作動カムの谷底に接するように各部材の諸元を設定し、このソレノイドの装着態様を以って通電時施錠型とし、この通電時施錠型の作動モードにおいてソレノイドの電流が遮断されたとき、プランジャの抜き出し方向の移動により揺動レバーの他端が作動カムの傾斜辺を押動して施解錠アームを傾動させるようにし、以ってその一端に連係されたロックピースをロック切欠から抜き出して電気錠を解錠し、他方、ソレノイドがアーム軸から離間した位置に装着された状態において、ソレノイドが通電されずにプランジャがコイルから引き出されたとき、揺動レバーの他端が作動カムの谷底に接するようにソレノイドの移動距離を定め、このソレノイドの装着態様を以って通電時解錠型とし、この通電時解錠型の作動モードにおいてソレノイドが通電されプランジャがコイルに引き込まれたとき、揺動レバーの他端が作動カムの他方の傾斜辺を押動して施解錠アームを傾動させるようにし、以ってその一端に連係させれたロックピースをロック切欠から抜き出して電気錠を解錠するようにしたことを特徴とする。
【０００８】
【実施例】
以下、この発明の実施例について、図面を参照して説明する。
図１において符号１は錠箱を示し、この錠箱１の下端部内方、すなわち、図１で右下の隅部には、第１外側駆動カム４と、第２外側駆動カム５とが夫々錠箱１の側板２に垂直な駆動カム軸３の回りを回動自在に支承されている。
【０００９】
上記第１及び第２外側駆動カム４、５は、夫々図２及び図３に示すように、ハンドルやノブなどの図示しない異形（図示の実施例では方形）断面の外側操作軸と嵌合する連結筒６に一体に結合された板カムで、図１に示すリトラクター７の受面８に接合する直線端縁部９を備えている（図２及び図３参照）。
【００１０】
上記第１及び第２外側駆動カム４、５は、図１に示すように、第１外側駆動カム４を手前側にして同軸に積層された状態で、夫々の外端部を錠箱の側板２に夫々独立に回動自在に支承されている。
【００１１】
なお、図示の実施例における錠箱は、１種類の錠箱を扉の左勝手と右勝手の双方に使用できるように、すなわち扉の左右勝手の如何に関わらず第１及び第２外側駆動カム４、５の何れかが室外側になるように、２個の外側駆動カムを設けている。
【００１２】
上記第１及び第２外側駆動カム４、５の所定の角度位置には、図２及び図３に示すように、夫々ロック切欠１１が形成されている。
【００１３】
一方、図１に示すように、これら第１及び第２外側駆動カム４、５の近傍には、夫々のロック切欠と係脱する方向に異同可能に案内された一対のロックピース１２、１２が配設されている。
【００１４】
各ロックピース１２は、図１及び図４に示すようなブロック体で、錠箱の側板２に開口した案内孔１３（図１参照）に沿って移動可能に支持案内されている。
【００１５】
実際には、ロックピース１２が案内孔１３から錠箱１外に抜け出てしまうことを防止するため、案内孔１３の幅はロックピースのそれより少し小さく設定され、これに対応してロックピース１２の上下の稜線部に段部が形成されているのであるが、図示の実施例では図面が煩雑になることを防止するため、その図示を省略する。
【００１６】
他方、図１に示すように、外側駆動カム４（５）の近傍に、例えばパイプ状のアーム軸１４が配設されており、このアーム軸１４には、夫々中央部をリング状に成形してこの中央部をアーム軸１４に回動可能に嵌合させた第１及び第２施解錠アーム１５、１６が装着されている。
【００１７】
上記第１施解錠アーム１５は、図５に示すように、錠箱の側板２に対する投影形状が略への字形で、リング状の中央部から斜め右下に延伸する作動腕１７に形成されたＵ字形の摺動溝１８を、ロックピース１２の切欠部に設けられた操作軸１９（図４参照）に摺動可能に係合させることにより、その一端をロックピース１２に連係させている。
【００１８】
また、上記作動腕１７に開口した略台形の角度規制窓２１は、施解錠アーム１５（１６）をアーム軸１４に装着したとき、側板２に植設されたストッパー２２と遊嵌し、施解錠アーム１５（１６）の作動角度を規制する。
【００１９】
更にまた、第１施解錠アーム１５のリング状の中央部の所定の角度位置における部分には、上記作動腕１７と一定の角度間隔を保って、側板２への投影形状が逆Ｖ字形の作動カム２３が一体に接続されている。
【００２０】
なお、図示の実施例では、この作動カム２３の先端に水平に延伸する延長部２４が一体に接続されているが、この延長部２４は、後述するように、施解錠アーム１５（１６）を機械的に退避角度位置に係止して不作動状態におくもので、この発明の必須の構成ではない。
【００２１】
なお、第１及び第２施解錠アーム１５、１６には夫々図示しない捩りコイルばねが巻装されており、このねじりコイルばねの弾力により、ロックピース１２がロック切欠１１に係入する方向に付勢されている。
【００２２】
上記のように構成された第１施解錠アーム１５は、リング状の中央部を通る水平軸に関し上下対称に成形された第２施解錠アーム１６を下方にして、図１に示すように、夫々リング状の中央部をアーム軸１４に嵌合させて錠箱に装着される。
【００２３】
このとき、第２施解錠アーム１６の作動腕１７は第２外側駆動カム５のロックピース１２に連係される。
【００２４】
一方、図６に示すように、状箱１内の下方前方には、施錠角度位置における作動カム２３の延伸方向（水平方向）に平行なプランジャ２５を有するソレノイド２６が装着されている。
【００２５】
このソレノイド２６は、プランジャ２５を施錠角度位置における作動カム２３の延伸方向（水平方向）と同じくして錠箱の側板２に装着されている。
【００２６】
また、ソレノイド２６は、断面コ字形（図示せず）に折曲された取付台の図６における裏面に植設された１対の案内ピン２８、２８と、錠箱の側板２に水平方向に沿って開口した１対のガイド長孔２９、２９との係合により、水平方向における位置を調節可能に装着されている。
【００２７】
このソレノイド２６の位置調整量は、プランジャ２５の伸縮量に等しく設定されている。
【００２８】
更にまた、ソレノイド２６の位置の調整は、錠箱のフロント板３１を一時的に取り外し、錠箱の取付板３２の開口３３に現われる切換えレバー３４を回動させることにより行う。
【００２９】
すなわち、図６に示すように、錠箱のフロント板３１の近傍において側板２に植設された切換え軸３５には、全体の形状が略Ｌ字形の切換えレバー３４が回動可能に軸支されており、この切換えレバー３４の短い方の腕が上記ソレノイドの取付台２７の側板の切欠３６に係合している。
【００３０】
そして、この切換えレバー３４の長い方の腕を例えば時計方向に回動させることにより、ソレノイド２６をフロント板３１に近接する方向に移動させることができ、その切換え位置をフロント板３１の取付により固定することができる（図７、８参照）。
【００３１】
一方、図６に示すように、施解錠アームの作動カム２３とプランジャ２５の先端部との間に揺動レバー軸３７が植設されており、この揺動レバー軸３７に揺動レバー３８の中央部が回動自在に軸支されている。
【００３２】
この揺動レバー３８の一端（図示の実施例では下端）は、プランジャ２５の先端部及びこの先端部のスリワリ（付番しない）に挿入された揺動レバーの一端を共通に貫通する付番しないピンにより、ソレノイドのプランジャ２５にリンク結合されている。
【００３３】
また、揺動レバー３８の他端部（図示の実施例では上端）は、錠箱１の厚さ方向、すなわち、図１、２の紙面方向において、第１及び第２施解錠アーム１５、１６の作動カム２３、２３の中間に延伸しており、その先端の表面及び裏面には、紙面方向に長い駆動軸３９が一体に垂設されている。
【００３４】
そして、図６において下方の駆動軸３９は第２施解錠アーム１６の作動カム２３に、情報の駆動軸３９は手前側の第１施解錠アームの作動カム２３の夫々谷部に臨んでいる。
【００３５】
更にまた、揺動レバー軸３７には図示しない捩りコイルばねが巻装されており、その一端は揺動レバー３８の他端部に錠箱の内方から、他端はソレノイド２６のプランジャが出入りする内面に夫々掛け止められている。
【００３６】
その為、揺動レバー３８は図において反時計方向に付勢され、その一端にリンク結合されたプランジャ２５はソレノイド２６のコイルから離間する方向に付勢されている。
【００３７】
本発明による切換え機構を構成する前記諸構成部材は、図１に示すようにソレノイド２６がアーム軸１４に近接する位置に装着された状態において、すなわちソレノイドがフロント板３１から離間する位置に装着された状態において、ソレノイド２６が通電されてプランジャ２５がコイル内に引込んだとき、揺動レバー３８の他端に垂設された駆動軸３９が作動カム２３の谷底に接するように、換言すればＶ字形の作動カム２３の屈曲部に内側から接するように、その諸元が設定されている。
【００３８】
換言すれば、上記のように諸構成部材の形状、寸法、及び相互の係合の態様が設定され、このソレノイドの装着態様を以て通電時施錠型とする。
【００３９】
上記通電時施錠型の作動モードにおいて、ソレノイド２６が通電されているときには、図１に示すように、プランジャ２５が左方に移動し、揺動レバー３８が直立する。
【００４０】
その結果、第１及び第２施解錠アーム１５、１６は、夫々の作動カム２３の谷底を駆動軸３９に接するように、換言すれば各作動腕１７に連係されたロックピース１２が外側駆動カム４、５に係入する方向に回動し、夫々駆動軸３９によって係止される。
【００４１】
この状態は施錠状態で、第１及び第２外側駆動カムの一方に室内側の操作軸が、他方に室外側の操作軸が夫々連結された状態を想定してみると、何れの操作軸を回しても駆動カムがロックピース１２に係止され、デッドボルト４１を錠箱内に引っ込めることはできない。
【００４２】
この通電時施錠型の作動モードでソレノイド２６への電流を遮断すると、図６に示すように、その付勢力によりプランジャ２５は右方に引出され、揺動レバー３８は反時計方向に回動する。
【００４３】
その結果、駆動軸３９は第１及び第２施解錠アームの作動カム２３の左方の傾斜端縁を押動する。
【００４４】
すると、傾斜端縁と駆動軸３９との間に生じる楔作用により、第１施解錠アーム１５は時計方向に、第２施解錠アーム１６は反時計方向に回動し、夫々に連係されたロックピース１２をロック切欠１１から抜き外す。
【００４５】
したがって、第１及び第２外側駆動カム４、５は自由になり、操作軸を回すことにより外側駆動カム４及び／又は５を回動させることが可能になる。
【００４６】
この状態が解錠状態で、何れか、或いは双方の外側駆動カムが回動することにより、リトラクター４２がその自由端を右方に移動させるように回動する。
【００４７】
図示の実施例におけるリトラクター４２の作動については、この発明の要旨ではないので、更に詳細な説明は省略する。
【００４８】
ちなみに、通常の錠箱におけるリトラクターは、ハンドル軸によって操作された場合、ラッチボルト或いはデッドボルトを兼ねたラッチボルトを錠箱内に引っ込める方向に駆動することができる。
【００４９】
図７及び図８は通電時解錠型の作動モードを示し、この作動モードは、ソレノイドに通電した状態でソレノイド２６を左方に移動させ、その移動量をプランジャ２５の伸縮量と同じにしたと同様であるから、図７に示すように、揺動レバー３８は図６に示す通電時施錠型の作動モードの場合とは対称的に時計方向に回動する。
【００５０】
その結果、その他端の駆動軸３９は作動カム２３、２３の右方の傾斜端縁を押動する。
【００５１】
すると、通電時施錠型の作動モードの場合と同様に、傾斜端縁と駆動軸３９との間に生じる楔作用により、第１施解錠アーム１５は時計方向に、第２施解錠アーム１６は反時計方向に回動し、夫々に連係されたロックピース１２をロック切欠１１から抜き外す。
【００５２】
したがって、ソレノイド２６に通電した状態で電気錠は解錠され、文字通り、通電時解錠型の作動モードとなる。
【００５３】
この通電時解錠型の作動モードでソレノイド２６への通電を遮断すると、図８に示すように、プランジャ２５はその付勢力によりコイルから抜出される右方に移動し、その結果図１と同様に揺動レバー３８が直立して、この電気錠は施錠状態となる。
【００５４】
【発明の効果】
以上の説明から明らかなように、この発明は、施解錠レバーのＶ字形の作動カムとソレノイドのプランジャとを相互に平行に配設し、これらの間に植設された揺動レバー軸に揺動レバーの中央部を回動可能に軸支し、その一端をプランジャの先端にリンク結合すると共に、他端を作動カムに係合可能に臨ませ、一方、ソレノイド全体をプランジャの伸縮量分移動可能に装着したので、揺動レバーの傾動角度によって定まる施解錠状態をソレノイドへの電流の断続及びソレノイドの移動の双方によって変化させることができ、したがって通電時施錠型と通電時解錠型の作動モードをソレノイドの移動によって切換えることができる、という所期の効果を奏する。
【図面の簡単な説明】
【図１】この発明による切換え機構を装着した電気錠の側面図で、通電時施錠型の作動モードに切換えられ、かつソレノイドが通電されている状態を示す。
【図２】第１外側駆動カムの平面図。
【図３】第２外側駆動カムの平面図。
【図４】ロックピースの正面図。
【図５】第１施解錠アームの平面図。
【図６】図１と同様の側面図で、ソレノイドへの電流が遮断されて電気錠が解錠された状態を示す。
【図７】この発明による切換え機構を装着した電気錠の側面図で、通電時解錠型の作動モードに切換えられ、かつソレノイドが通電されている状態を示す。
【図８】図７と同様の側面図で、ソレノイドへの電流が遮断されて電気錠が解錠された状態を示す。
【符号の説明】
１  錠箱
２  側板
４  第１外側駆動カム
５  第２外側駆動カム
１１  ロック切欠
１２  ロックピース
１４  アーム軸
１５  第１施解錠アーム
１６  第２施解錠アーム
２３  作動カム
２５  プランジャ
２６  ソレノイド
３１  フロント板
３７  揺動レバー軸
３８  揺動レバー
３９  駆動軸
４１  デッドボルト
【図１】
0004316120.tif 000002
【図２】
0004316120.tif 000003
【図３】
0004316120.tif 000004
【図４】
0004316120.tif 000005
【図５】
0004316120.tif 000006
【図６】
0004316120.tif 000007
【図７】
0004316120.tif 000008
【図８】
0004316120.tif 000009